(57)【特許請求の範囲】
【請求項１】
原稿の画像を読み取る画像読取部と、
原稿に付されるマークの組合せを予め複数パターン記憶していて、前記画像読取部で読み取った画像からマークを検出すると共に、検出したマークが何れの組合せに相当するかを判定するマーク検出部と、
複数のコマンドを予め記憶すると共に、マークの各組合せと各コマンドとを関連付けて予め記憶していて、前記マーク検出部で検出された前記マークの組合せに基づいて、関連付けられた所定のコマンドを判定すると共に設定するコマンド設定部と、
を備え、
前記コマンド設定部は、前記画像読取部が複数の原稿から連続して画像を読み取るとき、前記マーク検出部が１つの前記画像から第２の組合せの前記マークを検出した場合には、当該画像及び当該画像に後続する画像のそれぞれに対して同じ機能の処理を継続する第２コマンドを設定し、前記マーク検出部が１つの前記画像から第３の組合せの前記マークを検出した場合には、当該画像及び当該画像に後続する画像の内、当該第３の組合せによって特定されるページ番号の原稿の画像に対して同じ機能の処理を行う第３コマンドを設定することを特徴とする画像読取装置。
【請求項２】
前記マーク検出部が前記画像から所定の組合せの前記マークを検出しなかった場合には、当該画像をジョブ対象とし、
前記コマンド設定部は、前記マーク検出部が前記画像から第１の組合せの前記マークを検出した場合には、当該画像を前記ジョブ対象から除外してスキップする第１コマンドを設定することを特徴とする請求項１に記載の画像読取装置。
【請求項３】
前記コマンド設定部は、前記第２又は第３のコマンドが既に設定されている間に、前記マーク検出部が前記画像から前記第２又は第３の組合せとは異なる他の組合せの前記マークを検出した場合には、前記第２又は第３の組合せに代えて当該他の組合せに対応するコマンドを設定することを特徴とする請求項１又は２に記載の画像読取装置。
【請求項４】
前記コマンド設定部は、前記第２又は第３のコマンドが既に設定されている間に、前記マーク検出部が前記画像から第４の組合せの前記マークを検出した場合には、当該所定のコマンドの設定を解除することを特徴とする請求項３に記載の画像読取装置。
【請求項５】
前記コマンド設定部は、前記マーク検出部が前記画像から第５の組合せの前記マークを検出した場合には、当該画像に基づくジョブを実行した後で当該画像読取装置をスリープモードに移行させるコマンドを設定することを特徴とする請求項１ないし４の何れかに記載の画像読取装置。
【請求項６】
前記コマンド設定部は、複数の原稿が２つ以上のグループに分けられている場合に、前記画像読取部が前記複数の原稿から連続して画像を読み取るとき、前記マーク検出部が、各グループで先行する原稿の画像から、グループ毎に異なる機能に対応したマークの組合せを検出した場合には、グループ毎に異なる機能の処理を行うコマンドを設定することを特徴とする請求項１ないし５の何れかに記載の画像読取装置。
【請求項７】
前記マーク検出部は、前記画像読取部で読み取った画像のうち、原稿の余白部分に対応する位置から前記マークを検出することを特徴とする請求項１ないし５の何れかに記載の画像読取装置。
【請求項８】
請求項１ないし７の何れかに記載の画像読取装置を備えることを特徴とする画像形成装置。
【発明の詳細な説明】
【技術分野】
【０００１】
本発明は、画像読取装置及びこの画像読取装置を備えた画像形成装置に関する。
【背景技術】
【０００２】
従来、画像読取装置は、例えば、複合機等の画像形成装置に適用される。画像読取装置は、光学走査ユニット、反射ミラー、結像レンズ及び撮像部を備えて、コンタクトガラスやプラテンガラスの上方の原稿の画像を読み取るように構成される。また、画像読取装置は、自動原稿搬送装置（Ａｕｔｏ  Ｄｏｃｕｍｅｎｔ  Ｆｅｅｄｅｒ：ＡＤＦ）等の原稿搬送部を備えて、複数の原稿を１枚ずつ搬送してプラテンガラス上を通過させ、複数の原稿のそれぞれの画像を読み取るように構成されたものがある。
【０００３】
例えば、特許文献１に記載の複写装置では、原稿自動送り装置に載置された原稿を１ページずつプラテンガラス上に搬送し読み取って画像データを生成し、それを外部記憶装置に記憶する。更に、原稿の画像データの原稿右下隅に対応する位置における黒丸のマークの有無を検出し、マークがなかった場合は当該原稿の画像データを印刷する一方、マークがあった場合は当該原稿の画像データを破棄して、印刷を行わない。
【先行技術文献】
【特許文献】
【０００４】
【特許文献１】特開２００３−１５４９９号公報
【発明の概要】
【発明が解決しようとする課題】
【０００５】
しかしながら、上記の特許文献１のように、単なる黒丸のマークの有無を検出する構成では、他の印字や汚れを誤検出するおそれがあり、所望する原稿についてコピーやスキャン等が実行されない懸念がある。更に、原稿が大量にある場合には、全ての原稿についてコピーやスキャンの要否を精査した上で黒丸のマークを付する必要があり、ユーザーに負担が掛かる。
【０００６】
また、上記した画像読取装置では、複数の原稿を処理する際に、一部の原稿に異なる設定でコピーやスキャン等を行う場合には、その一部の原稿を別個に原稿搬送部にセットすると共に、異なる設定を入力する必要がある。このため、作業効率が悪く、ユーザーに負担が掛かっている。
【０００７】
そこで、本発明は上記の事情を考慮し、簡易な手法で所望の設定を画像データに適用することができ、ユーザーの負担を軽減すると共に、作業効率を向上させることを目的とする。
【課題を解決するための手段】
【０００８】
本発明の画像読取装置は、原稿の画像を読み取る画像読取部と、原稿に付されるマークの組合せを予め複数パターン記憶していて、前記画像読取部で読み取った画像からマークを検出すると共に、検出したマークが何れの組合せに相当するかを判定するマーク検出部と、複数のコマンドを予め記憶すると共に、マークの各組合せと各コマンドとを関連付けて予め記憶していて、前記マーク検出部で検出された前記マークの組合せに基づいて、関連付けられた所定のコマンドを判定すると共に設定するコマンド設定部と、を備えることを特徴とする。
【０００９】
このような構成を採用することで、原稿に付されたマークの数、位置、形状、色等の組合せに基づいて、実行すべきコマンドが決定されるため、他の印字や汚れを誤検出しても意図しないコマンドが設定されることがなく、所望の原稿のジョブを確実に実行することができる。また、マークの数、位置、形状、色等を様々に組み合わせることにより、様々なコマンドを設定することができるため、簡易な手法で所望の設定を画像データに適用することができ、ユーザーの負担を軽減すると共に、作業効率を向上させることができる。
【００１０】
前記マーク検出部が前記画像から所定の組合せの前記マークを検出しなかった場合には、当該画像をジョブ対象とし、前記コマンド設定部は、前記マーク検出部が前記画像から第１の組合せの前記マークを検出した場合には、当該画像前記ジョブ対象から除外してスキップする第１コマンドを設定するとよい。このような構成を採用することで、マークの組合せに基づいて、ジョブの実行をする原稿と読み飛ばしを行う原稿とを識別するため、読み飛ばしを行う原稿を誤ることがなく、所望の原稿のジョブを確実に実行することができる。
【００１１】
また、前記コマンド設定部は、前記画像読取部が複数の原稿から連続して画像を読み取るとき、前記マーク検出部が前記画像から第２の組合せの前記マークを検出した場合には、当該画像及び当該画像に後続する画像のそれぞれに対して同じ機能の処理を継続するコマンドを設定してもよい。
【００１２】
更に、前記コマンド設定部は、前記画像読取部が複数の原稿から連続して画像を読み取るときに、前記マーク検出部が前記画像から第３の組合せの前記マークを検出した場合には、当該第３の組合せによって特定される原稿の画像に対して同じ機能の処理を行うコマンドを設定してもよい。
【００１３】
これらのような構成を採用することで、先行する原稿にマークの組合せを付すことによって、複数の原稿に同じ機能の処理を行うことができる。このとき、マークの組合せを付す原稿は、先頭でもよく、途中でもよい。また、複数の原稿を幾つかのグループに分けて、グループ毎に異なる機能の処理を行う場合、各グループで先行する原稿に対して各機能に対応したマークの組合せを付すことにより、複数の原稿において異なる機能の処理が混在するジョブでも複数の原稿を一括して処理することができる。従って、作業効率が向上し、ユーザーの負担を軽減することが可能となる。
【００１４】
前記コマンド設定部は、前記マークの所定の組合せに対応する所定のコマンドが既に設定されている間に、前記マーク検出部が前記画像から当該所定の組合せとは異なる他の組合せの前記マークを検出した場合には、前記所定の組合せに代えて当該他の組合せに対応するコマンドを設定してもよい。このような構成を採用することで、複数の原稿に対するコマンドが設定されている場合でも、そのコマンドを途中で変更することができる。
【００１５】
前記コマンド設定部は、所定のコマンドが既に設定されている間に、前記マーク検出部が前記画像から第４の組合せの前記マークを検出した場合には、当該所定のコマンドの設定を解除してもよい。このような構成を採用することで、複数の原稿に対するコマンドが設定されている場合でも、そのコマンドを途中で解除することができる。
【００１６】
前記コマンド設定部は、前記マーク検出部が前記画像から第５の組合せの前記マークを検出した場合には、当該画像に基づくジョブを実行した後で当該画像読取装置をスリープモードに移行させるコマンドを設定してもよい。このような構成を採用することで、ジョブの終了後に、画像読取装置を即座にスリープモードに移行させて省電力化を図ることができる。
【００１７】
前記マーク検出部は、前記画像読取部で読み取った画像のうち、原稿の余白部分に対応する位置から前記マークを検出してもよい。このような構成を採用することで、コピーやスキャン等の対象とならない画像の範囲にマークが付されるため、マークが残らない画像に基づいてコピーやスキャン等のジョブを実行することが可能となる。
【００１８】
また、本発明の画像形成装置は、上記の何れかに記載の画像読取装置を備えることを特徴とする。
【発明の効果】
【００１９】
本発明によれば、簡易な手法で所望の設定を画像データに適用することができ、ユーザーの負担を軽減すると共に、作業効率を向上させることが可能になる。
【図面の簡単な説明】
【００２０】
【図１】本発明の一実施形態に係る複合機の構成を概略的に示す断面図である。
【図２】本発明の一実施形態に係る複合機の制御装置を概略的に示すブロック図である。
【図３】本発明の一実施形態に係る画像読取装置のマーク検出を伴う画像読取動作の一例を示すフローチャートである。
【図４】本発明の一実施形態に係る画像読取装置に適用される原稿の例を示す模式図である。
【図５】本発明の一実施形態に係る画像読取装置のマーク検出を伴う画像読取動作の他の例を示すフローチャートである。
【発明を実施するための形態】
【００２１】
まず、本発明の一実施形態に係る画像形成装置としての複合機１の全体の構成について図１を参照しながら説明する。図１は、複合機１を示す断面図である。
【００２２】
図１に示されるように、複合機１は、箱型形状の装置本体２を備えている。装置本体２の下部には用紙（図示せず）を収納した給紙カセット３が設けられ、装置本体２の上部には第１排紙トレイ４が設けられている。給紙カセット３及び第１排紙トレイ４は、装置本体２内の画像形成部１２で画像が形成される用紙を搬送するために用いられる。
【００２３】
装置本体２の上部における排紙トレイ４の上方には、原稿に表示されたものを画像データとして読み取る画像読取装置５が設けられている。画像読取装置５の上方には、画像読取装置５へと原稿を供給する自動原稿搬送装置（Ａｕｔｏ  Ｄｏｃｕｍｅｎｔ  Ｆｅｅｄｅｒ：ＡＤＦ）等の原稿搬送部６が設けられる。この原稿搬送部６の上面には給紙トレイ７が設けられ、給紙トレイ７の下方には第２排紙トレイ８が設けられている。給紙トレイ７及び第２排紙トレイ８は、画像読取装置５で画像が読み取られる原稿を搬送するために用いられる。なお、画像読取装置５は、原稿搬送部６、給紙トレイ７及び第２排紙トレイ８と一体的に構成されてよい。画像読取装置５の詳細は後述する。
【００２４】
装置本体２の中央部には、中間転写ベルト１０が複数のローラー間に架設され、中間転写ベルト１０の下方には、レーザー・スキャニング・ユニット（ＬＳＵ）で構成される露光装置１１が配置されている。中間転写ベルト１０の近傍には、中間転写ベルト１０の下部に沿って４個の画像形成部１２がトナーの色（例えば、マゼンタ、シアン、イエロー、ブラックの４色）ごとに設けられている。各画像形成部１２には、感光体ドラム１３が回転可能に設けられていて、感光体ドラム１３の周囲には、帯電器１４と、現像器１５と、一次転写部１６と、クリーニング装置１７と、除電器１８とが、一次転写のプロセス順に配置されている。現像器１５の上方には、各画像形成部１２と対応する４個のトナー容器としてのトナーコンテナ２０が、トナーの色ごとに設けられている。
【００２５】
装置本体２の一側（図面右側）には、用紙の搬送経路２１が設けられている。搬送経路２１の上流端には給紙部２２が設けられ、搬送経路２１の中流部には中間転写ベルト１０の一端（図面右端）に二次転写部２３が設けられ、搬送経路２１の下流部には定着装置２４が設けられ、搬送経路２１の下流端には排紙口２５が設けられている。
【００２６】
次に、画像読取装置５について説明する。画像読取装置５は、筐体３０の内部に画像読取部３１を備えると共に、筐体３０の上面にプラテンガラス３２とコンタクトガラス３３とを備えて構成される。また、画像読取部３１は、光学走査ユニット３４と、反射ユニット３５と、集光レンズ３６と、ＣＣＤ等の撮像部３７とを備える。
【００２７】
光学走査ユニット３４は、プラテンガラス３２やコンタクトガラス３３の上方の原稿に向かって光を照射する光源３８と、原稿で反射した光を反射ユニット３５に向ける反射ミラー４０とを有する。反射ユニット３５は、複数の反射ミラー４１を有する。例えば、光学走査ユニット３４は、主走査方向（前後方向）に長形に形成され、副走査方向（左右方向）に移動可能に設けられる。また、反射ユニット３５は、原稿から集光レンズ３６までの光路長が常に一定となるように、光学走査ユニット３４の移動に応じて移動するように設けられる。なお、集光レンズ３６及び撮像部３７は、筐体３０内の右側に固定されている。
【００２８】
次に、上記した画像読取装置５を備える複合機１の制御装置５０について図２を参照しながら説明する。図２は、複合機１の制御装置５０を概略的に示すブロック図である。
【００２９】
複合機１は、装置本体２の内部に制御装置５０を備えている。制御装置５０は、ＣＰＵ等からなる制御部５１と、ＲＯＭやＲＡＭ等からなる記憶部５２とを備える。制御装置５０は、上記した露光装置１１、画像形成部１２、給紙部２２、二次転写部２３及び定着装置２４、並びに操作部５３、モード切換部５４、コマンド処理部５５及び通信部５６に接続されている。また、制御装置５０は、画像読取装置５に接続され、特に、画像読取装置５の原稿搬送部６、画像読取部３１、マーク検出部５７、コマンド設定部５８及び画像処理部６０に接続されている。
【００３０】
記憶部５２には、画像形成処理制御に必要なプログラムや、その他、複合機１を統括制御するためのプログラムが記憶されていて、制御部５１は、記憶部５２に記憶された各プロクラム等に従って演算処理を実行して、制御装置５０に接続された各部を制御する。
【００３１】
モード切換部５４は、ユーザーによる操作部５３の入力に応じて、動作モードを通常モードとマーク検出モードとの間で切り換える。
【００３２】
コマンド処理部５５は、モード切換部５４でマーク検出モードが設定されている場合に、画像読取装置５のコマンド設定部５８によって設定されたコマンドを処理する。
【００３３】
通信部５６は、外部のコンピューター６１と所定のネットワークを介して通信可能に接続され、また、電話回線を介して外部のファクシミリ６２と通信可能に接続される。
【００３４】
画像読取装置５のマーク検出部５７は、原稿に付されたマークを原稿の画像データから検出するものである。マーク検出部５７は、原稿に付されるマークの数、位置、形状、色等の複数の組合せ（パターン）を予め記憶していて、検出したマークが何れの組合せに相当するかを判定する。
【００３５】
画像読取装置５のコマンド設定部５８は、マーク検出部５７で検出されたマークの組合せに対応するコマンドを当該画像読取装置５や当該画像読取装置５を備える複合機１に対して設定する。コマンド設定部５８は、画像読取装置５や複合機１で実行される複数種類のコマンドを予め記憶すると共に、マークの各組合せと各コマンドとを関連付けて予め記憶していて、マーク検出部５７で検出されたマークの組合せに基づいて、関連付けられたコマンドを判定する。例えば、コマンド設定部５８は、判定結果のコマンドの種類と、このコマンドを処理する際の画像データを識別可能な情報（例えば、ページ番号等）とをコマンド処理部５５に対して設定する。
【００３６】
次に、このような構成を備えた複合機１の画像形成動作について説明する。複合機１に電源が投入されると、各種パラメーターが初期化され、定着装置２４の温度設定等の初期設定が実行される。そして、画像読取装置５や外部のコンピューター６１等から画像データが入力され、印刷開始の指示がなされると、以下のようにして画像形成動作が実行される。
【００３７】
まず、帯電器１４によって感光体ドラム１３の表面が帯電された後、露光装置１１からのレーザー光（矢印Ｐ参照）により感光体ドラム１３の表面に静電潜像が形成される。次に、この静電潜像を、トナーコンテナ２０から供給されるトナーによって現像器１５がトナーにより対応する色のトナー像に現像する。このトナー像は、一次転写部１６において中間転写ベルト１０の表面に一次転写される。以上の動作を各画像形成部１２が順次繰り返すことによって、中間転写ベルト１０上にフルカラーのトナー像が形成される。なお、感光体ドラム１３上に残留したトナー及び電荷は、クリーニング装置１７及び除電器１８によって除去される。
【００３８】
一方、給紙部２２によって給紙カセット３又は手指しトレイ（図示せず）から取り出された用紙は、上記した画像形成動作とタイミングを合わせて二次転写部２３へと搬送され、二次転写部２３において、中間転写ベルト１０上のフルカラーのトナー像が用紙に二次転写される。トナー像を二次転写された用紙は、搬送経路２１を下流側へと搬送されて定着装置２４に進入し、この定着装置２４において用紙にトナー像が定着される。トナー像が定着された用紙は、排紙口２５から排紙トレイ４上に排出される。
【００３９】
次に、このような構成を備えた画像読取装置５において、プラテンガラス３２上に載置された原稿の画像読取動作について説明する。
【００４０】
画像読取装置５では、プラテンガラス３２上に載置された原稿の画像を画像読取部３１が読み取る場合、光学走査ユニット３４が、筐体３０内の左側（副走査方向の一端側）の画像読取位置から右方向（副走査方向）へと移動して原稿を走査（スキャン）する。このとき、プラテンガラス３２上の原稿に向かって、光学走査ユニット３４の光源３８によって光を照射し、原稿からの反射光を反射ユニット３５及び集光レンズ３６を介して撮像部３７に入射させる。そして、撮像部３７は、原稿からの反射光に基づく光電変換を行うことで原稿の画像の電気信号（画像データ）を生成する。撮像部３７で生成された画像データは、画像処理部６０によって所定の画像処理が施され、画像処理後の画像データは、ジョブ対象（コピーや送信の対象）として制御装置５０の記憶部５２に記憶される。なお、例えば、複合機１にコピージョブを実行させる場合には、画像処理後の画像データに対して上記の画像形成動作が実行される。また、複合機１に送信ジョブを実行させる場合には、画像処理後の画像データは、所定のフォーマットのファイルとして記憶部５２に保存され、又は通信部５６を介して外部のコンピューター６１やファクシミリ６２に送信される。
【００４１】
次に、このような構成を備えた画像読取装置５において、モード切換部５４によって通常モードが設定されている場合の、給紙トレイ７上に載置された原稿の画像読取動作について説明する。
【００４２】
画像読取装置５では、給紙トレイ７上に載置された原稿の画像を画像読取部３１が読み取る場合、原稿センサー（図示せず）が給紙トレイ７上の原稿を検知すると、原稿供給部６がこの原稿を供給してコンタクトガラス３３の上方を通過させる。そして、光学走査ユニット３４は、筐体３０内の左側の画像読取位置に固定されたままで、コンタクトガラス３３の上方を通過する原稿を走査（スキャン）する。そして、上記と同様にして、光学走査ユニット３４によって画像データが生成されると共に、画像処理部６０によって所定の画像処理が施されて、画像処理後の画像データが、ジョブ対象として制御装置５０の記憶部５２に記憶される。上記の原稿読取動作は、原稿センサー（図示せず）が給紙トレイ７上の原稿を検知しなくなるまで繰り返される。
【００４３】
他方、画像読取装置５において、モード切換部５４によってマーク検出モードが設定されている場合の、給紙トレイ７上に載置された原稿の画像読取動作の一例について図３及び図４を参照しながら説明する。図３は、画像読取装置５のマーク検出を伴う画像読取動作を示すフローチャートであり、図４は、画像読取装置５に適用される原稿の例を示す模式図である。
【００４４】
先ず、上記の通常モードの場合と同様にして、画像読取部３１が原稿から画像を読み取ると（ステップＳ１）、撮像部３７で生成した画像データに基づいて、マーク検出部５７がマークの検出を行う（ステップＳ２）。例えば、マーク検出部５７は、画像データに基づいて、白抜き又は塗りつぶしの○、△、□、×等のマークの有無、並びにこれらのマークの数、位置、形状、色等を検出する。
【００４５】
例えば、図４（ａ）に示すように、原稿にマークが付されてなく、マーク検出部５７が画像データからマークを検出できなかった場合（ステップＳ２：Ｎｏ）、画像データは、上記の通常モードの場合と同様にして通常の設定で処理され（ステップＳ３）、例えば、画像データは、画像処理部６０によって所定の画像処理が施され、画像処理後の画像データは、ジョブ対象として制御装置５０の記憶部５２に記憶される。そして、画像読取装置５では、原稿センサー（図示せず）が給紙トレイ７上の原稿を検知していれば（ステップＳ９：Ｙｅｓ）、画像読取部３１による次の原稿の読取動作（ステップＳ１）が繰り返される。なお、原稿センサー（図示せず）が給紙トレイ７上の原稿を検知しない場合（ステップＳ９：Ｎｏ）、画像形成装置１０におけるジョブの実行（ステップＳ１０）に移行して、その後、終了する。
【００４６】
また、マーク検出部５７は、画像データからマークを検出できた場合（ステップＳ２：Ｙｅｓ）、検出したマークの組合せを判定する（ステップＳ４）。そして、コマンド設定部５８は、マーク検出部５７で検出したマークの組合せに基づいて、実行すべきコマンドを判定する（ステップＳ５）。
【００４７】
コマンド設定部５８は、画像データのマークの組合せに対応するコマンドが存在しない場合には（ステップＳ６：Ｎｏ）、新たなコマンドを設定することなく上記の通常モードの場合と同様の動作（ステップＳ３）に移行し、対応するコマンドが存在する場合には（ステップＳ６：Ｙｅｓ）、そのコマンドの設定（ステップＳ７）に移行する。
【００４８】
例えば、図４（ｂ）に示すように、原稿のページの上部に付された３つの白抜きの○のマークを画像データから検出した場合（第１の組合せのマークの場合）（ステップＳ６：Ｙｅｓ）、コマンド設定部５８は、この第１の組合せに対応するコマンドとして、その画像データをスキップするコマンド（第１コマンド）をコマンド処理部５５に対して設定する（ステップＳ７）。そして、制御装置５０で実行中のジョブでは、コマンド処理部５５が、設定されたコマンドで画像データを処理し（ステップＳ８）、例えば、第１コマンドの場合には、この画像データをジョブ対象から除外し、即ち、この画像データをスキップする。そして、画像読取装置５では、原稿センサー（図示せず）が給紙トレイ７上の原稿を検知していれば（ステップＳ９：Ｙｅｓ）、画像読取部３１による次の原稿の読取動作（ステップＳ１）が繰り返される。なお、原稿センサー（図示せず）が給紙トレイ７上の原稿を検知しない場合（ステップＳ９：Ｎｏ）、画像形成装置１０におけるジョブの実行（ステップＳ１０）に移行して、その後、終了する。
【００４９】
本実施形態によれば、上述のように、複合機１の画像読取装置５は、原稿の画像を読み取る画像読取部３１と、原稿に付されるマークの組合せを予め複数パターン記憶していて、画像読取部３１で読み取った画像からマークを検出すると共に、検出したマークが何れの組合せに相当するかを判定するマーク検出部５７と、複数のコマンドを予め記憶すると共に、マークの各組合せと各コマンドとを関連付けて予め記憶していて、マーク検出部５７で検出されたマークの組合せに基づいて、関連付けられた所定のコマンドを判定すると共に設定するコマンド設定部５８と、を備える。
【００５０】
これにより、原稿に付されたマークの組合せに基づいて、実行すべきコマンドが決定されるため、他の印字や汚れを誤検出しても意図しないコマンドが設定されることがなく、所望の原稿のジョブを確実に実行することができる。また、マークの数、位置、形状、色等を様々に組み合わせることにより、様々なコマンドを設定することができるため、簡易な手法で所望の設定を画像データに適用することができ、ユーザーの負担を軽減すると共に、作業効率を向上させることができる。
【００５１】
また、本実施形態によれば、マーク検出部５７が画像から所定の組合せのマークを検出しなかった場合には、当該画像をジョブ対象とし、コマンド設定部５８は、マーク検出部５７が画像から第１の組合せのマークを検出した場合には、当該画像をジョブ対象から除外してスキップする第１コマンドを設定する。これにより、マークの組合せに基づいて、ジョブの実行をする原稿と読み飛ばしを行う原稿とを識別するため、読み飛ばしを行う原稿を誤ることがなく、所望の原稿のジョブを確実に実行することができる。
【００５２】
また、画像読取装置５において、モード切換部５４によってマーク検出モードが設定されている場合の、給紙トレイ７上に載置された原稿の画像読取動作の他の例について図４及び図５を参照しながら説明する。図５は、画像読取装置５のマーク検出を伴う画像読取動作を示すフローチャートである。なお、図５において、上記した図３の例と同様の動作（ステップＳ１〜Ｓ４）については、説明を省略する。
【００５３】
ところで、コマンド設定部５８では、現在の画像データに後続する画像データのそれぞれに対して同じ機能の処理を継続するコマンドも設定可能であり、このようなコマンドに対応するマークの組合せを原稿に付することが可能である。例えば、上記した図３のステップＳ５と同様にして、マーク検出部５７で検出したマークの組合せに対応するコマンドを判定した結果、図４（ｃ）に示すように、原稿のページの右上部に付された３つの黒塗りの△のマークを画像データから検出した場合（第２の組合せのマークの場合）（ステップＳ６：Ｙｅｓ）、コマンド設定部５８は、この第２の組合せに対応するコマンドとして、現在の画像データに後続する画像データのそれぞれに対してスキップ等の同じ機能の処理を継続するコマンド（第２コマンド）をコマンド処理部５５に対して設定する（ステップＳ１１）。そして、制御装置５０で実行中のジョブでは、コマンド処理部５５が、設定されたコマンドで画像データを処理し（ステップＳ１２）、例えば、第２コマンドの場合には、この画像データをジョブ対象から除外してスキップする。そして、画像読取装置５では、原稿センサー（図示せず）が給紙トレイ７上の原稿を検知していれば（ステップＳ９：Ｙｅｓ）、画像読取部３１による次の原稿の読取動作（ステップＳ１）が繰り返される。
【００５４】
また、後続の原稿の画像データのマーク検出動作において、マークが検出されない場合（ステップＳ２：Ｎｏ）やマークの組合せに対応するコマンドが存在しない場合（ステップＳ６：Ｎｏ）、この画像データに対して上記の通常モードの場合と同様の動作（ステップＳ３）をする前に、コマンド処理部５５は、同じ機能の処理を継続する所定のコマンド、例えば、第２コマンドが既に設定されているか否かを判定する（ステップＳ１３）。そして、既に第２コマンドが設定されていれば（ステップＳ１３：Ｙｅｓ）、この画像データを取り扱う際に、コマンド処理部５５が第２コマンドの適用を継続して、この画像データをジョブ対象から除外してスキップする（ステップＳ１２）。その後、次の原稿の読取動作（ステップＳ１）が繰り返される。なお、原稿センサー（図示せず）が給紙トレイ７上の原稿を検知しない場合（ステップＳ９：Ｎｏ）、画像形成装置１０におけるジョブの実行（ステップＳ１０）に移行して、その後、終了する。
【００５５】
上記したように、コマンド設定部５８は、現在の画像データに後続する画像データに対しても現在の画像データと同じ機能の処理を行うコマンドを設定することができる。例えば、更なる他の例では、上記した組合せのマークとは異なる第３の組合せのマークが原稿のページに付されていた場合、コマンド設定部５８は、第３の組合せのマークで特定される原稿の画像データに対してスキップ等の同じ機能の処理を行うコマンド（第３コマンド）をコマンド処理部５５に対して設定してもよい。即ち、マークの第３の組合せは、ジョブを実行するページ番号を特定するような組合せであって、例えば、全５ページ中第１ページ、第３ページ及び第５ページのみに対してスキップ等の同じ機能の処理を行うことを特定するような組合せである。
【００５６】
本実施形態によれば、上述のように、コマンド設定部５８は、画像読取部３１が複数の原稿から連続して画像を読み取るときに、マーク検出部５７が画像から第２の組合せのマークを検出した場合には、当該画像及び当該画像に後続する画像のそれぞれに対して同じ機能の処理を継続するコマンドを設定する。
【００５７】
また、コマンド設定部５８は、画像読取部３１が複数の原稿から連続して画像を読み取るときに、マーク検出部５７が画像から第３の組合せのマークを検出した場合には、当該第３の組合せによって特定される原稿の画像に対して同じ機能の処理を行うコマンドを設定する。
【００５８】
これらのような構成により、先行する原稿にマークの組合せを付すことによって、複数の原稿に同じ機能の処理を行うことができる。このとき、マークの組合せを付す原稿は、先頭でもよく、途中でもよい。また、複数の原稿を幾つかのグループに分けて、グループ毎に異なる機能の処理を行う場合、各グループで先行する原稿に対して各機能に対応したマークの組合せを付すことにより、複数の原稿において異なる機能の処理が混在するジョブでも複数の原稿を一括して処理することができる。従って、作業効率が向上し、ユーザーの負担を軽減することが可能となる。
【００５９】
また、他の例では、上記したように、コマンド設定部５８がマークの所定の組合せに対応する所定のコマンドを既に設定している間に、マーク検出部５７が当該所定の組合せとは異なる他の組合せのマークを検出した場合には、コマンド設定部５８は、この所定の組合せに代えて当該他の組合せに対応するコマンドをコマンド処理部５５に対して設定（上書き）してもよい（図５のステップＳ１１参照）。
【００６０】
例えば、図４（ｄ）に示すように、原稿のページの全体に亘って付された１つの大きな×のマークを画像データから検出した場合（第４の組合せのマークの場合）、コマンド設定部５８は、既に設定されているコマンドを解除するコマンド（第４コマンド）をコマンド処理部５５に対して設定する。例えば、第２コマンド又は第３コマンドが既に設定されていて、複数の原稿の画像データのそれぞれに対して同じ機能の処理を行うことが予め設定されているとき、コマンド処理部５５は、第４コマンドに応じて、既に設定されているコマンドを解除する。
【００６１】
あるいは、上記した組合せのマークとは異なる組合せのマークが原稿のページに付されていた場合、コマンド設定部５８は、既に設定されている所定のコマンドを維持しつつ、この原稿の画像データのみに対して異なる機能の処理を行うコマンドをコマンド処理部５５に対して設定してもよい。
【００６２】
本実施形態によれば、上述のように、コマンド設定部５８は、マークの所定の組合せに対応する所定のコマンドが既に設定されている間に、マーク検出部５７が画像から当該所定の組合せとは異なる他の組合せのマークを検出した場合には、所定の組合せに代えて当該他の組合せに対応するコマンドを設定する。これにより、複数の原稿に対するコマンドが設定されている場合でも、そのコマンドを途中で変更することができる。
【００６３】
また、本実施形態によれば、コマンド設定部５８は、所定のコマンドが既に設定されている間に、マーク検出部５７が画像から第４の組合せのマークを検出した場合には、当該所定のコマンドの設定を解除する。これにより、複数の原稿に対するコマンドが設定されている場合でも、そのコマンドを途中で解除することができる。
【００６４】
また、他の例では、図４（ｅ）に示すように、原稿のページの四隅に付された４つの白抜きの□のマークと原稿のページに付された１つの黒塗りの□のマークの組合せを画像データから検出した場合（第５の組合せのマークの場合）、コマンド設定部５８は、画像データに基づくジョブを実行した後で複合機１（画像読取装置５）をスリープモードに移行させるコマンド（第５コマンド）をコマンド処理部５５に対して設定してもよい。
【００６５】
本実施形態によれば、上述したように、コマンド設定部５８は、マーク検出部５７が画像から第５の組合せのマークを検出した場合には、当該画像に基づくジョブを実行した後で当該複合機１又は画像読取装置５をスリープモードに移行させるコマンドを設定する。これにより、ジョブの終了後に、複合機１や画像読取装置５を即座にスリープモードに移行させて省電力化を図ることができる。
【００６６】
本実施形態では、マークの例として、白抜き又は塗りつぶしの○、△、□、×を列挙したが、他の実施形態では、その他の様々な形状のマークを用いることができる。更に、他の実施形態では、本実施形態で例示したパターンのマークの組合せ以外にも、様々なパターンの組合せが可能である。なお、マークは、原稿に直接記入されてもよく、あるいは簡単に剥がせるシールによって原稿に付されてもよい。また、予めマークの組合せが記入されたコマンド設定用のシートを、複合機１又は画像読取装置５に複数パターン備えておいて、ユーザーがこのシートを適宜利用するようにしてもよい。
【００６７】
本実施形態では、マーク検出部５７及びコマンド設定部５８を画像読取装置５に備える構成を説明したが、この構成に限定されない。例えば、他の実施形態では、マーク検出部５７及びコマンド設定部５８は、複合機１の制御装置５０に備えられてもよい。この場合、制御装置５０の記憶部５２が、マークの組合せを予め記憶すると共に、マークの組合せと所定のコマンドとを関連付けて予め記憶するとよい。
【００６８】
また、上記した原稿に付されるマークは、コマンドの種類（処理すべき機能の種類）やコマンドが示す機能を行うべき原稿のページだけでなく、ジョブの各種設定（例えば、倍率、濃度、カラー／モノクロ、片面読取／両面読取、片面印刷／両面印刷等）を特定するように組み合わせることができる。そして、このようなマークの組合せをマーク検出部５７が判定することにより、コマンド設定部５８が、コマンドの種類やコマンドを実行すべき原稿のページだけでなく、コマンドの各種設定を特定してコマンドを設定することができる。更に、上記した原稿に付されるマークは、複合機１又は画像読取装置５のスリープモードの設定以外にも、複合機１又は画像読取装置５の様々な動作を特定するように組み合わせることができる。
【００６９】
また、他の実施形態では、マーク検出部５７は、画像読取部３１で読み取った画像データのうち、原稿の余白部分に対応する位置のみからマークを検出してもよい。これにより、コピーやスキャン等の対象とならない画像の範囲にマークが付されるため、マークが残らない画像に基づいてコピーやスキャン等のジョブを実行することが可能となる。
【００７０】
本実施形態では、複合機１に本発明の構成を適用する場合について説明したが、他の異なる実施形態では、スキャナー、複写機、ファクシミリ等の様々な画像読取装置に本発明の構成を適用してもよい。
【符号の説明】
【００７１】
１  複合機（画像形成装置）
５  画像読取装置
６  原稿搬送部
７  給紙トレイ
８  第２排紙トレイ
３１  画像読取部
３２  プラテンガラス
３３  コンタクトガラス
５０  制御装置
５１  制御部
５２  記憶部
５３  操作部
５４  モード切換部
５５  コマンド処理部
５６  通信部
５７  マーク検出部
５８  コマンド設定部
６０  画像処理部
６１  コンピューター
６２  ファクシミリ
【図１】
0006384396.tif 000002
【図２】
0006384396.tif 000003
【図３】
0006384396.tif 000004
【図４】
0006384396.tif 000005
【図５】
0006384396.tif 000006